(57)【要約】【課題】簡易な構成により、１つのジャックで、３極プラグへの出力と４極プラグへの出力とを共用化すること。【解決手段】接点１、２は、非反転のアナログ音声信号用である。接点３、４は、反転のアナログ音声信号用である。抵抗Ｒ１は、電源ＶＣＣと接点３との間に接続されている。ＣＰＵ２の入力ポートＩＮ１は、抵抗Ｒ１と接点３との間に接続されている。ＣＰＵ２は、入力ポートＩＮ１の論理がハイである場合、４極プラグ１８がジャック１６に接続されていると判断し、入力ポートＩＮ１の論理がローである場合、３極プラグ１７がジャック１６に接続されていると判断する。【選択図】図２
2018101967.tif 000002
【特許請求の範囲】
【請求項１】
第１接点と、第２接点と、第３接点と、第４接点と、を有し、３極プラグ、又は、４極プラグが接続されるジャックと、
電源と前記第３接点、又は、前記第４接点との間に接続された抵抗と、
入力ポートが、前記抵抗と前記第３接点、又は、前記第４接点との間に接続され、前記入力ポートの論理に基づいて、前記３極プラグ、前記４極プラグのいずれが、前記ジャックに接続されているかを判断する制御部と、を備えることを特徴とする音楽再生装置。
【請求項２】
前記第１接点、及び、前記第２接点は、非反転の音声信号用であり、
前記第３接点、及び、前記第４接点は、反転の音声信号用であり、
前記制御部は、前記入力ポートの論理がハイである場合、前記４極プラグが前記ジャックに接続されていると判断し、前記入力ポートの論理がローである場合、前記３極プラグが前記ジャックに接続されていると判断することを特徴とする請求項１に記載の音楽再生装置。
【請求項３】
前記抵抗は、前記第３接点と接続されており、
非反転の左音声信号を増幅する第１増幅器と、
反転の左音声信号を増幅する第２増幅器と、
非反転の右音声信号を増幅する第３増幅器と、
反転の右音声信号を増幅する第４増幅器と、
左音声信号を増幅する第５増幅器と、
右音声信号を増幅する第６増幅器と、
前記第１増幅器、又は、前記第５増幅器と、前記第１接点と、を接続する第１スイッチと、
前記第２増幅器、又は、前記抵抗と、前記第３接点と、を接続する第２スイッチと、
前記第３増幅器、又は、前記第６増幅器と、前記第２接点と、を接続する第３スイッチと、
前記第４増幅器、又は、前記基準電位と、前記第４接点と、を接続する第４スイッチと、
前記第５増幅器の前記第１スイッチへの接続、未接続を切り替える第５スイッチと、
をさらに備え、
前記制御部は、
前記第１スイッチにより、前記第５増幅器と、前記第１接点と、を接続し、
前記第２スイッチにより、前記抵抗と、前記第３接点と、を接続し、
前記第３スイッチにより、前記第６増幅器と、前記第２接点と、を接続し、
前記第４スイッチにより、前記基準電位と、前記第４接点と、を接続し、
前記第５スイッチにより、前記第５増幅器を前記第１スイッチに未接続の状態とし、
前記入力ポートの論理に基づいて、前記３極プラグ、前記４極プラグのいずれが、前記ジャックに接続されているかを判断することを特徴とする請求項２に記載の音楽再生装置。
【請求項４】
前記制御部は、前記３極プラグが前記ジャックに接続されていると判断した場合、
前記第１スイッチと前記第５スイッチとにより、前記第５増幅器と、前記第１接点と、を接続し、
前記第２スイッチにより、前記抵抗と、前記第３接点と、を接続し、
前記第３スイッチにより、前記第６増幅器と、前記第２接点と、を接続し、
前記第４スイッチにより、前記基準電位と、前記第４接点と、を接続することを特徴とする請求項３に記載の音楽再生装置。
【請求項５】
前記抵抗は、前記第４接点と接続されており、
非反転の左音声信号を増幅する第１増幅器と、
反転の左音声信号を増幅する第２増幅器と、
非反転の右音声信号を増幅する第３増幅器と、
反転の右音声信号を増幅する第４増幅器と、
左音声信号を増幅する第５増幅器と、
右音声信号を増幅する第６増幅器と、
前記第１増幅器、又は、前記第５増幅器と、前記第１接点と、を接続する第１スイッチと、
前記第２増幅器、又は、前記基準電位と、前記第３接点と、を接続する第２スイッチと、
前記第３増幅器、又は、前記第６増幅器と、前記第２接点と、を接続する第３スイッチと、
前記第４増幅器、又は、前記抵抗と、前記第４接点と、を接続する第４スイッチと、
前記第６増幅器の前記第３スイッチへの接続、未接続を切り替える第５スイッチと、
をさらに備え、
前記制御部は、
前記第１スイッチにより、前記第５増幅器と、前記第１接点と、を接続し、
前記第２スイッチにより、前記基準電位と、前記第３接点と、を接続し、
前記第３スイッチにより、前記第６増幅器と、前記第２接点と、を接続し、
前記第４スイッチにより、前記抵抗と、前記第４接点と、を接続し、
前記第５スイッチにより、前記第６増幅器を前記第３スイッチに未接続の状態とし、
前記入力ポートの論理に基づいて、前記３極プラグ、前記４極プラグのいずれが、前記ジャックに接続されているかを判断することを特徴とする請求項２に記載の音楽再生装置。
【請求項６】
前記制御部は、前記３極プラグが前記ジャックに接続されていると判断した場合、
前記第１スイッチにより、前記第５増幅器と、前記第１接点と、を接続し、
前記第２スイッチにより、前記基準電位と、前記第３接点と、を接続し、
前記第３スイッチと前記第５スイッチとにより、前記第６増幅器と、前記第２接点と、を接続し、
前記第４スイッチにより、前記抵抗と、前記第４接点と、を接続することを特徴とする請求項５に記載の音楽再生装置。
【請求項７】
前記制御部は、前記４極プラグが前記ジャックに接続されていると判断した場合、
前記第１スイッチにより、前記第１増幅器と、前記第１接点と、を接続し、
前記第２スイッチにより、前記第２増幅器と、前記第３接点と、を接続し、
前記第３スイッチにより、前記第３増幅器と、前記第２接点と、を接続し、
前記第４スイッチにより、前記第４増幅器と、前記第４接点と、を接続することを特徴とする請求項３〜６のいずれか１項に記載の音楽再生装置。
【請求項８】
前記第５増幅器は、前記第１増幅器から出力される非反転の左音声信号と、前記第２増幅器から出力される反転の左音声信号と、の差分を増幅する差動増幅器であり、
前記第６増幅器は、前記第３増幅器から出力される非反転の右音声信号と、前記第４増幅器から出力される反転の右音声信号と、の差分を増幅する差動増幅器であることを特徴とする請求項３〜７のいずれか１項に記載の音楽再生装置。
【発明の詳細な説明】
【技術分野】
【０００１】
本発明は、ヘッドホンに音声信号を出力する音楽再生装置に関する。
【背景技術】
【０００２】
従来のヘッドホン出力ジャックは、直径６．３ｍｍのステレオ標準プラグ、直径３．５ｍｍのステレオミニプラグに対応するものが一般的である。また、信号として、Ｌチャンネル、Ｒチャンネル、グラウンドに対応した、３極のプラグを受ける３極のジャックが出力端子として搭載されていた。近年、バランスタイプのヘッドホンも流通しており、バランスタイプのヘッドホンの信号は、Ｌチャンネル（＋）、Ｌチャンネル（−）、Ｒチャンネル（＋）、Ｒチャンネル（−）の４種類となるため、ヘッドホンのプラグとしても、４極の仕様となる。しかしながら、市場では、様々なタイプの４極プラグが存在している。このため、バランスヘッドホン用の出力ジャックを搭載している機器では、多くの場合、アンバランスの出力ジャックとは別に、バランス出力専用のジャックを搭載している。
【０００３】
また、例え同じプラグ形状であっても（例えば、直径３．５ｍｍプラグ）、アンバランスの場合は、３極で、バランスの場合は、４極であり、極数が異なる。４極の信号アサインが、（１）Ｌチャンネル（＋）、（２）Ｒチャンネル（＋）、（３）Ｌチャンネル（−）、（４）Ｒチャンネル（−）であるとすると、アンバランスヘッドホンの３極プラグの信号は、（１）Ｌチャンネル、（２）Ｒチャンネル、（３）グラウンドとなる。図９（ａ）は、４極プラグの一例を示す図である。図９（ｂ）は、３極プラグの一例を示す図である。図９（ｃ）は、４極ジャックの一例を示す図である。図１０（ａ）は、４極ジャックに４極プラグが挿入された状態を示す図である。図１０（ｂ）は、４極ジャックに３極プラグが挿入された状態を示す図である。仮に出力ジャックとして、４極ジャックを搭載するとした場合、図１０（ｂ）に示すように、３極プラグが挿入されると、４極ジャックの接点３と接点４とがショートされることになるため、出力機器において、Ｌチャンネル（−）とＲチャンネル（−）出力信号がショートされるという不具合が生じる。
【０００４】
このような不具合を回避するために、４極のヘッドホン出力端子のアサインを、（１）Ｌチャンネル、（２）Ｒチャンネル、（３）グラウンド（Ｌチャンネル）、（４）グラウンド（Ｒチャンネル）とする。そして、出力機器内部で、Ｌチャンネル−Ｒチャンネルのグラウンドを分離することで、バランスヘッドホンを１つのジャックで、３極・４極の共用化をしているケースもある（例えば、非特許文献１参照。）。
【０００５】
ただし、３極・４極の共用化をしている場合、非特許文献１の「グランド分離された４極接続の模式図」に示されているように、グラウンドは分離しているものの、アンバランス（シングルエンド）出力をしている状態である。純粋なバランス（他方の出力が、一方の反転信号となっている）出力を伴う、１つの出力ジャックにおける３極・４極の出力共用化はできていない。
【０００６】
以下、他の従来技術について説明する。
【０００７】
特許文献１には、Ｄ級アンプ出力に関する発明が記載されている。３極プラグがジャックに接続されている場合、４極のＬ＋とＲ＋とをそのまま使用したシングルエンドになっているため、バランス出力（４極）の場合に対して、出力電圧が半分になっている（出力パワーとしては１／４）。
【０００８】
特許文献２には、マイクロコンピューターを介さず、ハードウェアのみで３極プラグであるか、４極プラグであるか、を判別する発明が記載されているが、構成が複雑である。また、３極プラグがジャックに接続された場合に、ＬチャンネルとＲチャンネルとのアンプ出力が、ショートされることをプラグ検出のトリガとしており、回路動作としては好ましくない。また、３極プラグがジャックに接続されている場合、４極のＬ＋とＲ＋とをそのまま使用したシングルエンドになっているため、バランス出力（４極）の場合に対して、出力電圧が半分になっている（出力パワーとしては１／４）。また、特許文献１において、３極プラグでの動作時に、カップリングコンデンサが必要であることが指摘されている。
【０００９】
特許文献３には、デジタルアンプに関する発明が記載されている。特許文献３に記載の発明では、Ｌ−とＲ−のアンプ出力部に、抵抗を挿入することで、３極プラグと４極プラグの双方への対応を実現している。しかしながら、出力抵抗とヘッドホンのインピーダンスとが一致しない場合、クロストークが発生する。
【００１０】
特許文献４に記載の発明では、一方のチャンネルの信号が、他方のチャンネルに現れるかどうかで、３極プラグであるか、４極プラグであるかを検出している。また、特許文献４に記載の発明では、３極プラグ接続時と、４極プラグ接続時と、でアンプ回路の電源を変更している。４極プラグ接続（バランス）の場合、出力アンプ電源が、片電源である。３極プラグ接続（アンバランス）の場合、出力アンプ電源が、両電源である。
【先行技術文献】
【特許文献】
【００１１】
【非特許文献１】山崎健太郎、“「グランド分離」って何？  OPPOのヘッドフォンで手軽にグレードアップを試してみる”、[online]、2015年11月13日、AV Watch、[2016年10月27日検索]、インターネット〈URL：http://av.watch.impress.co.jp/docs/topic/728540.html〉
【特許文献１】特開２００７−２５８９７０号公報
【特許文献２】特開平２−２５２４００号公報
【特許文献３】特開２００３−０８７０６４号公報
【特許文献４】特開２００４−３２８３２０号公報
【発明の概要】
【発明が解決しようとする課題】
【００１２】
上述のように、従来技術では、１つのジャックで、３極プラグへの出力と４極プラグへの出力とを共用化しようとしているが、構成が複雑である等、種々の問題がある。
【００１３】
本発明の目的は、簡易な構成により、１つのジャックで、３極プラグへの出力と４極プラグへの出力とを共用化することである。
【課題を解決するための手段】
【００１４】
第１の発明の音楽再生装置は、第１接点と、第２接点と、第３接点と、第４接点と、を有し、３極プラグ、又は、４極プラグが接続されるジャックと、電源と前記第３接点、又は、前記第４接点との間に接続された抵抗と、入力ポートが、前記抵抗と前記第３接点、又は、前記第４接点との間に接続され、前記入力ポートの論理に基づいて、前記３極プラグ、前記４極プラグのいずれが、前記ジャックに接続されているかを判断する制御部と、を備えることを特徴とする。
【００１５】
本発明では、抵抗は、電源と第３接点、又は、第４接点との間に接続されている。また、制御部の入力ポートは、抵抗と第３接点との間に接続されている。４極プラグ（例えば、先端から、Ｌ＋、Ｒ＋、Ｌ−、Ｒ−）が、ジャックに挿入されると、入力ポートの論理は、ハイとなる。また、３極プラグ（先端から、Ｌ、Ｒ、ＧＮＤ）がジャックに挿入されると、ＧＮＤにより、第３接点と第４接点とが接続されるため、入力ポートの論理は、ローとなる。従って、制御部は、入力ポートの論理に基づいて、３極プラグ、４極プラグのいずれが、ジャックに接続されているかを判断することができる。
【００１６】
このように、本発明によれば、プルアップ抵抗を用いることで、３極プラグ、４極プラグのいずれが、ジャックに接続されているかを判断することができるため、簡易な構成により、１つのジャックで、３極プラグへの出力と４極プラグへの出力とを共用化することができる。
【００１７】
第２の発明の音楽再生装置は、第１の発明の音楽再生装置において、前記第１接点、及び、前記第２接点は、非反転の音声信号用であり、前記第３接点、及び、前記第４接点は、反転の音声信号用であり、前記制御部は、前記入力ポートの論理がハイである場合、前記４極プラグが前記ジャックに接続されていると判断し、前記入力ポートの論理がローである場合、前記３極プラグが前記ジャックに接続されていると判断することを特徴とする。
【００１８】
本発明では、抵抗は、電源と第３接点との間に接続されている。また、制御部の入力ポートは、抵抗と第３接点との間に接続されている。従って、４極プラグ（例えば、先端から、Ｌ＋、Ｒ＋、Ｌ−、Ｒ−）が接続されると、入力ポートの論理は、ハイとなる。また、３極プラグ（先端から、Ｌ、Ｒ、ＧＮＤ）が接続されると、ＧＮＤにより、第３接点と第４接点とが接続されるため、入力ポートの論理は、ローとなる。このため、制御部は、入力ポートの論理がハイである場合、４極プラグがジャックに接続されていると判断することができる。また、制御部は、入力ポートの論理がローである場合、３極プラグがジャックに接続されていると判断することができる。
【００１９】
第３の発明の音楽再生装置は、第２の発明の音楽再生装置において、前記抵抗は、前記第３接点と接続されており、非反転の左音声信号を増幅する第１増幅器と、反転の左音声信号を増幅する第２増幅器と、非反転の右音声信号を増幅する第３増幅器と、反転の右音声信号を増幅する第４増幅器と、左音声信号を増幅する第５増幅器と、右音声信号を増幅する第６増幅器と、前記第１増幅器、又は、前記第５増幅器と、前記第１接点と、を接続する第１スイッチと、前記第２増幅器、又は、前記抵抗と、前記第３接点と、を接続する第２スイッチと、前記第３増幅器、又は、前記第６増幅器と、前記第２接点と、を接続する第３スイッチと、前記第４増幅器、又は、前記基準電位と、前記第４接点と、を接続する第４スイッチと、前記第５増幅器の前記第１スイッチへの接続、未接続を切り替える第５スイッチと、をさらに備え、前記制御部は、前記第１スイッチにより、前記第５増幅器と、前記第１接点と、を接続し、前記第２スイッチにより、前記抵抗と、前記第３接点と、を接続し、前記第３スイッチにより、前記第６増幅器と、前記第２接点と、を接続し、前記第４スイッチにより、前記基準電位と、前記第４接点と、を接続し、前記第５スイッチにより、前記第５増幅器を前記第１スイッチに未接続の状態とし、前記入力ポートの論理に基づいて、前記３極プラグ、前記４極プラグのいずれが、前記ジャックに接続されているかを判断することを特徴とする。
【００２０】
第４の発明の音楽再生装置は、第３の発明の音楽再生装置において、前記制御部は、前記３極プラグが前記ジャックに接続されていると判断した場合、前記第１スイッチと前記第５スイッチとにより、前記第５増幅器と、前記第１接点と、を接続し、前記第２スイッチにより、前記抵抗と、前記第３接点と、を接続し、前記第３スイッチにより、前記第６増幅器と、前記第２接点と、を接続し、前記第４スイッチにより、前記基準電位と、前記第４接点と、を接続することを特徴とする。
【００２１】
本発明では、制御部は、３極プラグがジャックに接続されていると判断した場合、第１スイッチと第５スイッチとにより、第５増幅器と、第１接点と、を接続し、第２スイッチにより、抵抗と、第３接点と、を接続し、第３スイッチにより、第６増幅器と、第２接点と、を接続し、第４スイッチにより、基準電位と、第４接点と、を接続する。これにより、３極プラグがジャックに接続された場合、第５増幅器、第６増幅器による、アンバランス出力を行うことができる。
【００２２】
第５の発明の音楽再生装置は、第２の発明の音楽再生装置において、前記抵抗は、前記第４接点と接続されており、非反転の左音声信号を増幅する第１増幅器と、反転の左音声信号を増幅する第２増幅器と、非反転の右音声信号を増幅する第３増幅器と、反転の右音声信号を増幅する第４増幅器と、左音声信号を増幅する第５増幅器と、右音声信号を増幅する第６増幅器と、前記第１増幅器、又は、前記第５増幅器と、前記第１接点と、を接続する第１スイッチと、前記第２増幅器、又は、前記基準電位と、前記第３接点と、を接続する第２スイッチと、前記第３増幅器、又は、前記第６増幅器と、前記第２接点と、を接続する第３スイッチと、前記第４増幅器、又は、前記抵抗と、前記第４接点と、を接続する第４スイッチと、前記第６増幅器の前記第３スイッチへの接続、未接続を切り替える第５スイッチと、をさらに備え、前記制御部は、前記第１スイッチにより、前記第５増幅器と、前記第１接点と、を接続し、前記第２スイッチにより、前記基準電位と、前記第３接点と、を接続し、前記第３スイッチにより、前記第６増幅器と、前記第２接点と、を接続し、前記第４スイッチにより、前記抵抗と、前記第４接点と、を接続し、前記第５スイッチにより、前記第６増幅器を前記第３スイッチに未接続の状態とし、前記入力ポートの論理に基づいて、前記３極プラグ、前記４極プラグのいずれが、前記ジャックに接続されているかを判断することを特徴とする。
【００２３】
第６の発明の音楽再生装置は、第５の発明の音楽再生装置において、前記制御部は、前記３極プラグが前記ジャックに接続されていると判断した場合、前記第１スイッチにより、前記第５増幅器と、前記第１接点と、を接続し、前記第２スイッチにより、前記基準電位と、前記第３接点と、を接続し、前記第３スイッチと前記第５スイッチとにより、前記第６増幅器と、前記第２接点と、を接続し、前記第４スイッチにより、前記抵抗と、前記第４接点と、を接続することを特徴とする。
【００２４】
本発明では、制御部は、３極プラグがジャックに接続されていると判断した場合、第１スイッチにより、第５増幅器と、第１接点と、を接続し、第２スイッチにより、基準電位と、第３接点と、を接続し、第３スイッチと第５スイッチとにより、第６増幅器と、第２接点と、を接続し、第４スイッチにより、抵抗と、第４接点と、を接続する。これにより、３極プラグがジャックに接続された場合、第５増幅器、第６増幅器による、アンバランス出力を行うことができる。
【００２５】
第７の発明の音楽再生装置は、第３〜第６のいずれかの発明の音楽再生装置において、前記制御部は、前記４極プラグが前記ジャックに接続されていると判断した場合、前記第１スイッチにより、前記第１増幅器と、前記第１接点と、を接続し、前記第２スイッチにより、前記第２増幅器と、前記第３接点と、を接続し、前記第３スイッチにより、前記第３増幅器と、前記第２接点と、を接続し、前記第４スイッチにより、前記第４増幅器と、前記第４接点と、を接続することを特徴とする。
【００２６】
本発明では、制御部は、４極プラグがジャックに接続されていると判断した場合、第１スイッチにより、第１増幅器と、第１接点と、を接続し、第２スイッチにより、前記第２増幅器と、前記第３接点と、を接続し、第３スイッチにより、第３増幅器と、第２接点と、を接続し、第４スイッチにより、第４増幅器と、第４接点と、を接続する。これにより、４極プラグがジャックに接続された場合、第１増幅器、第２増幅器、第３増幅器、第４増幅器による、バランス出力を行うことができる。
【００２７】
第８の発明の音楽再生装置は、第３〜第７のいずれかの発明の音楽再生装置において、前記第５増幅器は、前記第１増幅器から出力される非反転の左音声信号と、前記第２増幅器から出力される反転の左音声信号と、の差分を増幅する差動増幅器であり、前記第６増幅器は、前記第３増幅器から出力される非反転の右音声信号と、前記第４増幅器から出力される反転の右音声信号と、の差分を増幅する差動増幅器であることを特徴とする。
【００２８】
本発明では、第５増幅器は、前記第１増幅器から出力される非反転の左音声信号と、前記第２増幅器から出力される反転の左音声信号と、の差分を増幅する差動増幅器である。また、第６増幅器は、第３増幅器から出力される非反転の右音声信号と、前記第４増幅器から出力される反転の右音声信号と、の差分を増幅する差動増幅器である。これにより、アンバランス出力時（３極プラグ接続時）において、バランス出力時（４極プラグ接続時）との出力信号のレベル差がなくなる。
【発明の効果】
【００２９】
本発明によれば、簡易な構成により、１つのジャックで、３極アンバランス出力と４極バランス出力とが共用化される。
【図面の簡単な説明】
【００３０】
【図１】本発明の実施形態に係るデジタルオーディオプレーヤーの構成を示すブロック図である。
【図２】ＤＡＣ、増幅器等、及びこれらの周辺回路を示す図である。
【図３】ＤＡＣ、増幅器等、及びこれらの周辺回路を示す図である。
【図４】ＤＡＣ、増幅器等、及びこれらの周辺回路を示す図である。
【図５】ＤＡＣ、増幅器等、及びこれらの周辺回路を示す図である。
【図６】ＤＡＣ、増幅器等、及びこれらの周辺回路を示す図である。
【図７】音楽再生を行う場合のデジタルオーディオプレーヤーの処理動作を示すフローチャートである。
【図８】ＤＡＣ、増幅器等、及びこれらの周辺回路を示す図である（変形例）。
【図９】（ａ）は、４極プラグの一例を示す図である。（ｂ）は、３極プラグの一例を示す図である。（ｃ）は、４極ジャックの一例を示す図である。
【図１０】（ａ）は、４極ジャックに４極プラグが挿入された状態を示す図である。（ｂ）は、４極ジャックに３極プラグが挿入された状態を示す図である。
【発明を実施するための形態】
【００３１】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、ヘッドホン１０１、１０２に音声信号を出力する。ヘッドホン１０１、１０２は、音声信号に基づいて、音声を外部に出力する。ヘッドホン１０１は、アンバランス用のヘッドホンである。ヘッドホン１０２は、バランス用のヘッドホンである。ＤＡＰ１は、アンバランス出力とバランス出力とを有する。
【００３２】
図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅器８〜１１、差動増幅器１２、１３、無線モジュール１４、ＵＳＢインターフェース（以下、「ＵＳＢ  Ｉ／Ｆ」という。）１５を備える。
【００３３】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタル音声信号等の各種データを記憶するフラッシュメモリから構成されている。なお、記憶部３は、例示する構成に限られず、ＨＤＤ（Hard Disk Drive）等を含んでいてもよい。
【００３４】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００３５】
ＤＳＰ（Digital Signal Processor）６は、デジタル音声信号に、イコライザー処理等の信号処理を行う。ＤＡＣ７は、デジタル音声信号をアナログ音声信号にＤ／Ａ変換する。増幅器８〜１１、差動増幅器１２、１３については後述する。無線モジュール１４は、Ｂｌｕｅｔｏｏｔｈ（登録商標）規格、Ｗｉ−Ｆｉ規格に従った無線通信を行うためのものである。ＵＳＢ  Ｉ／Ｆ１５は、ＵＳＢ規格に従った通信を行うためのものである。
【００３６】
図２は、ＤＡＣ７、増幅器８〜１１等、及びこれらの周辺回路を示す図である。図２に示すように、ＤＡＰ１は、さらに、スイッチＳＷ１〜ＳＷ５、ジャック１６、抵抗Ｒ１等を備える。
【００３７】
増幅器８（第１増幅器）には、ＤＡＣ７から、非反転のＬチャンネルのアナログ音声信号（左音声信号）が出力される。増幅器８は、非反転のＬチャンネルのアナログ音声信号を増幅する。増幅器９（第２増幅器）には、ＤＡＣ７から、反転のＬチャンネルのアナログ音声信号が出力される。増幅器９は、反転のＬチャンネルのアナログ音声信号を増幅する。増幅器１０（第３増幅器）には、ＤＡＣ７から、非反転のＲチャンネルのアナログ音声信号（右音声信号）が出力される。増幅器１０は、非反転のＲチャンネルのアナログ音声信号を増幅する。増幅器１１（第４増幅器）には、ＤＡＣ７から、反転のＲチャンネルのアナログ音声信号が出力される。増幅器１１は、反転のＲチャンネルのアナログ音声信号を増幅する。
【００３８】
差動増幅器１２（第５増幅器）は、増幅器８が増幅した非反転のＬチャンネルのアナログ音声信号と、増幅器９が増幅した反転のＬチャンネルのアナログ音声信号と、の差分を増幅する。差動増幅器１３（第６増幅器）は、増幅器１０が増幅した非反転のＲチャンネルのアナログ音声信号と、増幅器１１が増幅した反転のＲチャンネルのアナログ音声信号と、の差分を増幅する。
【００３９】
ジャック１６は、接点１（第１接点）、接点２（第２接点）、接点３（第３接点）、接点４（第４接点）を有する。また、ジャック１６の直径は、例えば、３．５ｍｍである。接点１、２は、非反転のアナログ音声信号用である。接点３、４は、反転のアナログ音声信号用である。具体的には、接点１は、非反転のＬチャンネルのアナログ音声信号用である。接点２は、非反転のＲチャンネルのアナログ音声信号用である。接点３は、反転のＬチャンネルのアナログ音声信号用である。接点４は、反転のＲチャンネルのアナログ音声信号用である。抵抗Ｒ１は、電源ＶＣＣと接点３との間に接続されている。
【００４０】
ジャック１６には、３極プラグ１７、又は、４極プラグ１８が接続される。３極プラグ１７は、アンバランス用のヘッドホン１０１のプラグである。３極プラグ１７は、先端から、Ｌチャンネル、Ｒチャンネル、グラウンド（ＧＮＤ）の順である。４極プラグ１８は、バランス用のヘッドホン１０２のプラグである。４極プラグ１８は、先端から、非反転のＬチャンネル（Ｌ＋）、非反転のＲチャンネル（Ｒ＋）、反転のＬチャンネル（Ｌ−）、反転のＲチャンネル（Ｒ−）の順である。３極プラグ１７、及び、４極プラグ１８の直径は、例えば、それぞれ、３．５ｍｍである。
【００４１】
スイッチＳＷ１〜ＳＷ５は、それぞれ、例えば、リレーである。スイッチＳＷ１（第１スイッチ）は、増幅器８、又は、差動増幅器１２（スイッチＳＷ５）と、接点１と、を接続する。スイッチＳＷ２（第２スイッチ）は、増幅器９、又は、抵抗Ｒ１と、接点３と、を接続する。スイッチＳＷ３（第３スイッチ）は、増幅器１０、又は、差動増幅器１３と、接点２と、を接続する。スイッチＳＷ４（第４スイッチ）は、増幅器１１、又は、基準電位と、接点４と、を接続する。スイッチＳＷ５（第５スイッチ）は、差動増幅器１２のスイッチＳＷ１への接続、未接続を切り替える。
【００４２】
ＣＰＵ２の入力ポートＩＮ１は、抵抗Ｒ１と第２スイッチＳＷ２（接点３）との間に接続されている。ＣＰＵ２は、入力ポートＩＮ１の論理に基づいて、ジャック１６に３極プラグ１７、４極プラグ１８のいずれが接続されているかを判断する。ＣＰＵ２の入力ポートＩＮ２は、ジャック１６のプラグ挿入検出スイッチに接続されている。ＣＰＵ２は、入力ポートＩＮ２の論理に基づいて、ジャック１６にプラグが接続されているか否かを判断する。ＣＰＵ２は、出力ポートＯＵＴ１により、ＤＡＣ７のミュートのオン／オフを制御する。ＣＰＵ２は、出力ポートＯＵＴ２により、スイッチＳＷ１〜ＳＷ４を切り替える。ＣＰＵ２は、出力ポートＯＵＴ３により、スイッチＳＷ５を切り替える。
【００４３】
ＣＰＵ２は、３極プラグ１７、４極プラグ１８のいずれが接続されているか否かを判断する場合、スイッチＳＷ５により、差動増幅器１２を、スイッチＳＷ１に未接続の状態とする。また、ＣＰＵ２は、スイッチＳＷ１を入力「２」側とし、スイッチＳＷ５と接点１とを接続する。また、ＣＰＵ２は、スイッチＳＷ２を入力「２」側とし、抵抗Ｒ１と接点３とを接続する。また、ＣＰＵ２は、スイッチＳＷ３を入力「２」側とし、差動増幅器１３と接点２とを接続する。また、ＣＰＵ２は、スイッチＳＷ４を入力「２」側とし、基準電位と接点４とを接続する。なお、基準電位は、Ｌ、Ｒの中点（動作）電位と同じ電位である。また、スイッチＳＷ４の「２」側については、Ｌ（スイッチＳＷ１の入力「２」側）、及び、Ｒ（スイッチＳＷ２の入力「２」側）の基準電位と同電位になるように設定する（出力カップリングレス）。また、この基準電位がシステムのＧＮＤと異なる電位の場合、入力ポートをＡ／Ｄポートとするなどして、３極プラグ１７が挿入された時と４極プラグ１８が挿入された時との電圧差を検出することで対応可能である。
【００４４】
図３に示すように、ジャック１６に４極プラグ１８が接続されている場合、ＣＰＵ２の入力ポートＩＮ１は、ハイ（電源ＶＣＣの電圧）となる。この場合、ＣＰＵ２は、ジャック１６に４極プラグ１８が接続されていると判断する。そして、ＣＰＵ２は、音楽再生を行う場合、図４に示すように、スイッチＳＷ１を入力「１」側とし、増幅器８と接点１とを接続する。また、ＣＰＵ２は、スイッチＳＷ２を入力「１」側とし、増幅器９と接点３とを接続する。また、ＣＰＵ２は、スイッチＳＷ３を入力「１」側とし、増幅器１０と接点２とを接続する。また、ＣＰＵ２は、スイッチＳＷ４を入力「１」側とし、増幅器１１と接点４とを接続する。ＤＡＰ１は、バランスでの音楽再生を行う。
【００４５】
図５に示すように、ジャック１６に３極プラグ１７が接続されている場合、ＣＰＵ２の入力ポートＩＮ１は、ロー（基準電位）となる。この場合、ＣＰＵ２は、ジャック１６に３極プラグ１７が接続されていると判断する。そして、図６に示すように、ＣＰＵ２は、音楽再生を行う場合、スイッチＳＷ５により、差動増幅器１２をスイッチＳＷ１に接続する。ＤＡＰ１は、アンバランスでの音楽再生を行う。
【００４６】
以下、音楽再生を行う場合のＤＡＰ１の処理動作を、図７に示すフローチャートに基づいて説明する。まず、ＣＰＵ２は、ＤＡＣ７をミュートし、スイッチＳＷ１〜ＳＷ５を入力「２」に設定する（Ｓ１）。次に、ＣＰＵ２は、プラグが挿入されたか否かを入力ポートＩＮ２に基づいて判断する（Ｓ２）。ＣＰＵ２は、プラグが挿入されていないと判断している間は、Ｓ２の処理を繰り返し実行する（Ｓ２：Ｎｏ）。ＣＰＵ２は、プラグが挿入されたと判断した場合（Ｓ２：Ｙｅｓ）、入力ポートＩＮ１がハイであるか否か、すなわち、４極プラグ１８がジャック１６に接続されたか否かを判断する（Ｓ３）。ＣＰＵ２は、入力ポートＩＮ１がハイであると判断した場合（Ｓ３：Ｙｅｓ）、スイッチＳＷ１〜ＳＷ４を入力「１」に設定する（Ｓ４）。ＣＰＵ２は、入力ポートＩＮ１がハイでない、すなわち、３極プラグ１７がジャック１６に接続されていると判断した場合（Ｓ３：Ｎｏ）、スイッチＳＷ５を入力「１」に設定する（Ｓ５）。ＣＰＵ２は、Ｓ４の処理の後、又は、Ｓ５の処理の後、ＤＡＣ７のミュートを解除し、音声出力を開始する（Ｓ６）。
【００４７】
以上説明したように、本実施形態では、抵抗Ｒ１は、電源ＶＣＣと接点３との間に接続されている。また、ＣＰＵ２の入力ポートＩＮ１は、抵抗Ｒ１と接点３との間に接続されている。従って、４極プラグ１８が接続されると、入力ポートＩＮ１の論理は、ハイとなる。また、３極プラグ１７が接続されると、ＧＮＤにより、接点３と接点４とが接続されるため、入力ポートＩＮ１の論理は、ローとなる。このため、ＣＰＵ２は、入力ポートＩＮ１の論理がハイである場合、４極プラグ１８がジャックに接続されていると判断することができる。また、ＣＰＵ２は、入力ポートＩＮ１の論理がローである場合、３極プラグ１７がジャックに接続されていると判断することができる。
【００４８】
このように、本実施形態によれば、プルアップ抵抗Ｒ１を用いることで、３極プラグ１７、４極プラグ１８のいずれが、ジャック１６に接続されているかを判断することができるため、簡易な構成により、１つのジャックで、３極プラグ１７への出力と４極プラグ１８への出力とを共用化することができる。
【００４９】
また、本実施形態では、差動増幅器１２は、増幅器８から出力される非反転のＬチャンネルのアナログ音声信号と、増幅器９から出力される反転のＬチャンネルのアナログ音声信号と、の差分を増幅する差動増幅器である。また、差動増幅器１３は、増幅器１０から出力される非反転のＲチャンネルのアナログ音声信号と、増幅器１１から出力される反転のＲチャンネルのアナログ音声信号と、の差分を増幅する差動増幅器である。これにより、アンバランス出力時（３極プラグ１７接続時）において、バランス出力時（４極プラグ１８接続時）と出力電圧が同等となる。
【００５０】
また、本実施形態では、ＣＰＵ２は、３極プラグ１７がジャック１６に接続されていると判断した場合、スイッチＳＷ１、ＳＷ５により、差動増幅器１２と、接点１と、を接続し、スイッチＳＷ２により、抵抗Ｒ１と、接点３と、を接続し、スイッチＳＷ３により、差動増幅器１３と、接点２と、を接続し、スイッチＳＷ４により、基準電位と、接点４と、を接続する。これにより、３極プラグ１７がジャック１６に接続された場合、差動増幅器１２、１３による、アンバランス出力を行うことができる。
【００５１】
また、本実施形態では、ＣＰＵ２は、４極プラグ１８がジャック１６に接続されていると判断した場合、スイッチＳＷ１により、増幅器８と、接点１と、を接続し、スイッチＳＷ２により、増幅器９と、接点３と、を接続し、スイッチＳＷ３により、増幅器１０と、接点２と、を接続し、スイッチＳＷ４により、増幅器１１と、接点４と、を接続する。これにより、４極プラグ１８がジャック１６に接続された場合、増幅器８〜１１による、バランス出力を行うことができる。
【００５２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５３】
上述の実施形態においては、抵抗Ｒ１は、電源ＶＣＣと接点３との間に接続されている。これに限らず、図８に示すように、抵抗Ｒ１は、電源ＶＣＣと接点４との間に接続されていてもよい。この場合、スイッチＳＷ２は、増幅器９、又は、基準電位と、接点３と、を接続する。また、スイッチＳＷ４は、増幅器１１、又は、抵抗Ｒ１と、接点４と、を接続する。また、スイッチＳＷ５は、増幅器１３のスイッチＳＷ３への接続、未接続を切り替える。ＣＰＵ２は、３極プラグ１７、４極プラグ１８のいずれが、ジャック１６に接続されているかを判断する場合、スイッチＳＷ２により、基準電位と、接点３と、を接続する。また、ＣＰＵ２は、スイッチＳＷ４により、抵抗Ｒ１と、接点４と、を接続する。また、ＣＰＵ２は、スイッチＳＷ５により、増幅器１３をスイッチＳＷ３に未接続の状態とする。ＣＰＵ２は、３極プラグ１７がジャック１６に接続されていると判断した場合、スイッチＳＷ２により、基準電位と、接点３と、を接続する。また、ＣＰＵ２は、スイッチＳＷ４により、抵抗Ｒ１と、接点４と、を接続する。また、ＣＰＵ２は、スイッチＳＷ３とスイッチＳＷ５とにより、増幅器１３と、接点２と、を接続する。
【００５４】
上述の実施形態においては、音楽再生装置として、ＤＡＰを例示した。これに限らず、スマートフォン、タブレットＰＣ、ＵＳＢ  ＤＡＣ、ヘッドホンアンプ等であってもよい。
【００５５】
上述の実施形態においては、ジャック１６は、プラグ挿入検出スイッチ付のジャックである。ジャック１６に、プラグ挿入検出スイッチが付いていない場合、図７のＳ２の処理は、省略される。
【産業上の利用可能性】
【００５６】
本発明は、ヘッドホンに音声信号を出力する音楽再生装置に好適に採用され得る。
【符号の説明】
【００５７】
１  ＤＡＰ（音楽再生装置）
２  ＣＰＵ（制御部）
８  増幅器（第１増幅器）
９  増幅器（第２増幅器）
１０  増幅器（第３増幅器）
１１  増幅器（第４増幅器）
１２  差動増幅器（第５増幅器）
１３  差動増幅器（第６増幅器）
１６  ジャック
１７  ３極プラグ
１８  ４極プラグ
１０１  ヘッドホン
１０２  ヘッドホン
ＩＮ１  入力ポート
ＳＷ１  スイッチ（第１スイッチ）
ＳＷ２  スイッチ（第２スイッチ）
ＳＷ３  スイッチ（第３スイッチ）
ＳＷ４  スイッチ（第４スイッチ）
ＳＷ５  スイッチ（第５スイッチ）
【図１】
2018101967.tif 000003
【図２】
2018101967.tif 000004
【図３】
2018101967.tif 000005
【図４】
2018101967.tif 000006
【図５】
2018101967.tif 000007
【図６】
2018101967.tif 000008
【図７】
2018101967.tif 000009
【図８】
2018101967.tif 000010
【図９】
2018101967.tif 000011
【図１０】
2018101967.tif 000012